(57)【特許請求の範囲】
【請求項１】
太陽光熱とドライアイスとを利用する発電装置であって、
軸方向に対して一定の角度を持って周面に設置された複数のフィンを備える回転板を有する円筒形の熱交換部と、
前記円筒形の熱交換部の上半部に位置し太陽光熱を採取する入熱部と、
前記円筒形の熱交換部の下半部を収容し水及びドライアイスを受け入れる冷却室と、
前記熱交換部の前記回転板に従動する回転子を有する発電部と、
から成り、
上記入熱部を通して採取された太陽光熱により加熱される前記熱交換部内上部の空気と上記冷却室内の水及びドライアイスによって冷却される前記熱交換部内下部の空気の膨張・収縮によって生ずる前記空気の移動が前記複数のフィンを備える前記回転板を回転させ、
前記複数のフィンを備える前記回転板の回転により前記熱交換部内の前記空気の移動及び熱交換が行われ、
前記熱交換及び前記空気の移動が繰り返されることにより前記熱交換部内の空気が一定の方向に回転を続けることにより前記回転板が回転を持続し、
前記回転板に従動して前記発電部の前記回転子が回転することにより前記発電部が電力を生成することを特徴とする発電装置。  
【請求項２】
前記冷却室は密閉されており、前記冷却室内に収容されている前記熱交換部の前記下半部には二酸化炭素受入口と二酸化炭素放出口とが互いに離隔して設置され、前記密閉された冷却室内に投入された前記ドライアイスが気化することにより発生する二酸化炭素が前記二酸化炭素受入口より前記熱交換部内に膨入し前記二酸化炭素放出口より排出される過程において、前記複数のフィンを備える前記回転板を回転させることを特徴とする、請求項１に記載の発電装置。
【請求項３】
前記熱交換部はその内壁に、前記回転板の表面に設置された各々の前記フィンに対応する複数の固定フィンを有し、前記回転板の前記複数のフィンと前記熱交換部内壁の前記複数の固定フィンとが協応して前記熱交換部内に生ずる空気の流動方向を決定することを特徴とする請求項１又は２記載の発電装置。
【請求項４】
前記発電部は前記熱交換部上半部の前記入熱部と熱伝達部を介して互いに接続しており、前記熱伝達部は発電によって前記発電部に生じた廃熱を前記入熱部に伝達し熱源として利用することが可能であることを特徴とする請求項１乃至３のいずれかに記載の発電装置。
【請求項５】
前記発電装置は前記熱交換部の前記二酸化炭素放出口の延長上にドライアイスの再精製加工機を有し、前記発電装置から排出される二酸化炭素からドライアイスを製造し再利用することができることを特徴とする請求項１乃至４のいずれかに記載の発電装置。
【発明の詳細な説明】
【技術分野】
【０００１】
本発明は、スターリングエンジンの原理を利用した再生可能エネルギーの発電装置に関する。
【背景技術】
【０００２】
近年、地球温暖化現象や原子力発電に対する警戒感から、太陽光発電、風力発電、地熱発電等の再生可能エネルギー関係の発電が注目されている。
【０００３】
一方で、19世紀前半に発明されたスターリングエンジンは、ガソリンエンジン等その後開発された手軽な内燃機関の普及に押され、動力としての利用は進んでいないが、近年、外燃機関として熱源を選ばないクリーンな発電装置として見直されつつあり、研究が行われている。
【先行技術文献】
【特許文献】
【０００４】
【特許文献１】特開２００４−３３２６７２号公報
【特許文献１】特開２０１４−２０６１２０号公報
【発明の概要】
【発明が解決しようとする課題】
【０００５】
現在、日本のエネルギー自給率は４パーセントで他国に比べて極端に低い（資源エネルギー庁 エネルギー白書２０１１）。また、火力発電等化石燃料を使用した発電の割合については、震災前の２０１０年１２月で６１パーセント、震災後の２０１２年１２月で９０パーセントである（資源エネルギー庁「我が国のエネルギー情勢１」）。このままでは、化石燃料の輸入がストップした場合、日本の経済活動、日常生活に悪影響が発生するばかりか、地球温暖化問題の解決にも逆行する。
【０００６】
上述の現状を踏まえ、現在、火力発電等に頼っている電力源を、水力、風力、太陽光、地熱発電等の再生可能エネルギーに分散すべく、種々の研究がおこなわれている。その一つとして、熱源を選ばないクリーンな発電装置として、太陽熱、排熱等を利用したスターリングエンジンによる発電装置の開発・研究が行われている。
【０００７】
しかしながら、温度差から生ずる閉鎖空間における気体体積の変化を運動エネルギーに変換するスターリングエンジンにおいては、以下の問題があった。第一に、発電機を効果的に作動させるためには空気の熱冷を迅速に素早く行う必要があるところ、太陽熱等による気体の膨脹だけでは十分な出力を得ることが難しく、また、内部気体の熱交換サイクルのスピードもそれほど速くすることはできない。第二に、熱源とする太陽熱や廃熱は天候や工場の稼働により供給が一定しない場合が多く、発電機を安定的に稼働させることが難しい。
【０００８】
これらの問題を踏まえて、特許文献１には、太陽光熱を集光熱するフレネルレンズと、集光熱した熱源を所定の場所に導く石英ガラス製の光導ファイバーを備えるスターリングエンジン発電装置が提案されている。しかし、この装置は太陽光からの集光熱力を高めることにより上述第一の問題には対処しているが、天候によって稼働が制約されるという第二の問題は全く解決されていない。
【０００９】
特許文献２には、エンジン内の作動ガスとして高圧のヘリウムガスを使用した太陽熱スターリングエンジンにおいて、エンジン回転軸に設置され、始動用と発電用を兼務した回転子の慣性質量を軽くすることにより、太陽の入射熱が変化した場合に、エンジン回転数を迅速に変化させて発電量を調整するスターリングエンジン発電機の発明が開示されている。しかしながら、この種のスターリングエンジン発電機においては、エンジン内の作動気体に高圧の特殊なガスを封入して使用するため、ガスの圧力やピストンのストロークを制御するための機構が必要となるほか、太陽光熱量が変化したときには自ら発電した電力をエンジンの回転のために再使用することになるので、全体の発電量の減少をカバーすることはできない。
【００１０】
本発明は上記課題を解決し、作動気体として特殊なガスを使用したり、そのための複雑な機構を必要とせず、太陽光熱が減少したときでも安定した発電量を確保できる太陽熱スターリングエンジン発電装置を提供することを課題とする。
【課題を解決するための手段】
【００１１】
上記課題を解決するために、請求項１の発電装置は、太陽光熱とドライアイスとを利用する再生可能エネルギーの発電装置であって、軸方向に対して一定の角度を持って周面に設置された複数のフィンを備える回転板を有する円筒形の熱交換部と、該熱交換部の上半部に位置し太陽光熱を採取する入熱部と、熱交換部の下半部を収容し水及びドライアイスを受け入れる冷却室と、熱交換部の前記回転板に従動する回転子を有する発電部と、から成り、入熱部を通して採取された太陽光熱により加熱される熱交換部内上部の空気と冷却室内の水及びドライアイスによって冷却される熱交換部内下部の空気の膨張・収縮によって生ずる空気の移動がフィンを備える回転板を回転させ、さらに、フィンを備える前記回転板の回転により熱交換部内の空気の移動及び熱交換が行われる。このように空気の移動及び熱交換が繰り返されることにより熱交換部内の空気が一定の方向に回転を続け、前記回転板が回転を持続し、回転板に従動して発電部の回転子が回転することにより発電部が電力を生成することを特徴とする。
【００１２】
請求項２の発電装置は、前記冷却室は密閉されており、冷却室内に収容されている熱交換部の下半部には二酸化炭素受入口と二酸化炭素放出口とが互いに離隔して設置され、冷却室内に投入されたドライアイスが気化することにより発生する二酸化炭素が二酸化炭素受入口より熱交換部内に膨入し二酸化炭素放出口より排出される過程において、複数のフィンを備える前記回転板を回転させることを特徴とする。
【００１３】
請求項３の発電装置は、前記熱交換部はその内壁に、回転板の周面に設置された各々のフィンに対応する複数の固定フィンを有し、回転板の複数のフィンと熱交換部内壁の複数の固定フィンとが協応して前記熱交換部内に生ずる空気の流動方向を決定することを特徴とする。
【００１４】
請求項４の発電装置は、発電部が熱交換部上半部の入熱部と熱伝達部を介して互いに接続しており、熱伝達部は発電によって生じた廃熱を入熱部に伝達し熱源として利用することが可能であることを特徴とする。
【００１５】
請求項５の発電装置は、前記熱交換部の二酸化炭素放出口の延長上にドライアイスの再精製加工機を有し、発電装置から排出される二酸化炭素からドライアイスを製造し再利用することができることを特徴とする。
【発明の効果】
【００１６】
低温熱源としてドライアイスを用いるため、太陽光熱のみ利用のスターリングエンジン発電と比較して、安定した発電を行うことができる。また、請求項４の発電装置では、発電部の廃熱も再利用することができるため、運転の安定度はさらに高まる。
【００１７】
太陽光熱とドライアイスという高低差の大きい両熱源を利用するため、高温部と低温部の温度差が大きくなり、これが素早い空気移動を起こし、スムースな回転運動を得ることができる。また、回転板のフィンの動きが更なる空気移動と熱交換を促し、切れ目のない再生エネルギー発電を行うことができる。
【００１８】
多くのスターリングエンジンが採用しているピストン運動から回転運動への変換ではなく、熱交換部内で直接回転運動を得ることができるため、発電に至るまでのエネルギーロスが少ない。
【００１９】
請求項２の発電装置においては、熱交換部内に膨入する二酸化炭素の流れにより、強制的な回転力を得ることができる。また、当該強制的な回転が熱交換部内の空気移動と熱交換の効率をさらに高め、これが回転板の回転力を高めるという好循環を生む。
【００２０】
ドライアイスの再精製加工機を有する請求項５の発電装置においては、運転の過程で発生する二酸化炭素を再利用できるため、環境に優しく、また、省コスト性の高い発電を行うことができる。
【図面の簡単な説明】
【００２１】
【図１】本実施形態の発電装置の正面右方向からの斜視図である（熱交換部と発電部の前蓋は省略）。
【図２】本実施形態の発電装置の正面左方向からの斜視図である（熱交換部と発電部の前蓋は省略）。
【図３】本実施形態の発電装置の正面縦断面図である。
【図４】本実施形態の発電装置の側面縦断面図である（発電部内の構造は省略）。
【発明を実施するための形態】
【００２２】
以下に、本発明の実施形態について図を用いて説明する。
まず、本実施形態の構成について説明する。
本実施形態の発電装置は熱交換によって動力を得るスターリングエンジンの原理を利用した発電装置であって、図１〜図４に示すように、装置の鉛直方向中央に配設された円筒形の熱交換部１と、熱交換部１の上半部１５に位置し太陽光熱を採取・保存する入熱部２と、熱交換部１の下半部１６を収容し水３３及びドライアイス３２を受け入れる冷却室３と、入熱部２に上接して配設された発電部４によって構成される。
【００２３】
熱交換部１は内部に軸回転する円筒形の回転板１２を有し、回転板１２の周面には軸方向に対して一定の角度を持って複数のフィン１３が設置されている。また、熱交換部１はその内壁に、回転板１２の表面に設置された各々のフィン１３に対応する複数の固定フィン１１を有し、軸方向に対して一定の共通角度を有するフィン１３と固定フィン１１とが協応して熱交換部１内の空気の流動方向を決定する構造となっている。
【００２４】
図３に示すように、冷却室３内に収容されている熱交換部１の下半部１６には二酸化炭素受入口１７と二酸化炭素放出口１８とが互いに離隔して設置され、冷却室３から膨入する二酸化炭素（炭酸ガス）３４を一方から受け入れ、他方から放出する（図３矢印）。
【００２５】
冷却室３は膨張する二酸化炭素３４が熱交換部1内に膨入するように密閉されており、側面に設置されたドライアイス投入口３１は気密性を保つ観点から二重口となっている（不図示）。
【００２６】
熱交換部１の上半部１５に位置する入熱部２は、熱交換部１の上半部１５を構成する円弧壁と壁内部に設置されたオイルパン２１によって構成され、外表面は太陽熱を吸収しやすい艶消し黒塗装が施され、オイルパン２１には保温油２２が注入されている。また、入熱部２と発電部４とは熱伝達部４３を介して接続され、発電部４に生じた廃熱が入熱部２に伝導する構成となっている。また、熱交換部１の下半部１６を収容する冷却室３の外側塗装は、太陽光熱を反射しやすいように白色系の塗装とする。
【００２７】
発電部４の外側軸先には歯車４２が軸付けされており、回転ベルト５によって回転板１２の軸回転運動が歯車４２に伝動される。
【００２８】
次に、本実施形態の機能について説明する。
本実施形態の発電装置は、熱交換部１内の回転板１２の回転が発電部４の回転子４１を従動させることにより発電機能を発揮するものであるが、回転子４１の回転は熱交換部１内の空気の流れによって生じる。すなわち、入熱部２において採取された太陽光熱によって上半部（高温部）１５内の空気が固定フィン１１に導かれて一定方向に膨張、移動し、一定の角度を持って設置されたフィンに当たり回転子４１を動かすことによって回転が生じる。さらに、下半部（低温部）１６に流入した高温の空気がドライアイス３２及び水３３によって冷却され、回転板１４のフィン１１によって再び上半部（高温部）１５に運ばれることにより、熱交換と空気移動のサイクルが生まれる。また、運転中においては、発電装置によって生じる廃熱も熱伝達部４３を通して入熱部２に伝えられ、熱源として再利用され上半部（高温部）１５の熱交換を補助する構造となっている。
【００２９】
上述したように、本発電装置は、太陽光熱、発電装置の廃熱及びドライアイスを熱源として十分稼働可能であるが、本発明においては、ドライアイスが熱源だけではなく、物理的な動力を生じさせる源材となっていることに大きな特徴がある。すなわち、密閉された冷却室３に投入されたドライアイス３２は水に接して気化し、固体時の約８００倍の体積に膨張しつつ熱交換器１の二酸化炭素受入口１７から下半部（低温部）１６に膨入し、二酸化炭素放出口１８から放出される。この過程で、熱交換部１内に強力な空気の流れが発生し回転板１２の回転を補助する。また、回転板の回転力の強化は低温部１６・高温部１５間の空気及び熱の交換を促し、これが更に回転板の回転力を高めるという好循環を生み出す。
【００３０】
運転開始時に十分な太陽光熱を得ることができない環境下では、ドライアイスの投入が直ちに始動力となりうることも本発明の特徴である。
【００３１】
また、本発電装置は、ピストン運動から回転運動への変換ではなく、ロータリーエンジンのように直接回転運動を得ることができるため、発電に至るまでのエネルギーロスが少ないことも特徴である。
【００３２】
さらに、本発電装置は、二酸化炭素放出口１８の延長上にドライアイスの再精製加工機（不図示）を有し、排出される二酸化炭素からドライアイスを製造し再利用することができるほか、二酸化炭素を消火器メーカーや野菜工場等に安価に提供することも大きな特徴である。
【符号の説明】
【００３３】
１    熱交換部
１１  固定フィン
１２  回転板
１３  回転板フィン
１４  回転軸
１５  上半部（高温部）
１６  下半部（低温部）
１７  二酸化炭素受入口
１８  二酸化炭素放出口
２    入熱部
２１  オイルパン
２２  保温油
３    冷却室
３１  ドライアイス投入口
３２  ドライアイス
３３  水
４    発電部
４１  回転子
４２  歯車
４３  熱伝達部
４４  電線
５    回転ベルト
【図１】
0006407089.tif 000002
【図２】
0006407089.tif 000003
【図３】
0006407089.tif 000004
【図４】
0006407089.tif 000005